(57)【要約】【課題】人や物に揮発性物質を直接接触させなくても揮発性物質の効能を使用者に与えることができる保持具を提供する。【解決手段】保持具１は、香水を含有したゲル３と、シート部２Ａ及び、シート部２Ａと一体的に成形されると共にゲル３を内包する複数の突起部２Ｂとで構成されたビニール製の保持シート２と、所定の間隔で複数の壁部材６が設けられると共に、壁部材６と壁部材６の間に保持シート２の突起部２Ｂが配置された、平板状の第１のカバー部材５と、保持シート２の各突起部２Ｂに対応する位置に保持シート２（突起部２Ｂ）に向けて屈曲可能に設けられた複数の押圧片８を有する、平板状の第２のカバー部材７を備える。突起部２Ｂは、人が指で挟んで持つ力では破損しないが、この力より大きな力が加えられると破損するよう構成されている。【選択図】図１
2013215341.tif 000002
【特許請求の範囲】
【請求項１】
揮発性物質を含有すると共に、固体状をなす揮発性材料と、
該揮発性材料を内包すると共に、所定の力以上で破損する保持部材とを備える
保持具。
【請求項２】
所定の間隔で複数の壁部材が設けられると共に、同壁部材の間に前記保持部材が配置された第１のカバー部材と、
前記保持部材に対応する位置に前記保持部材に向けて屈曲可能に設けられた押圧片を有する第２のカバー部材とを備える
請求項１に記載の保持具。
【請求項３】
前記第１のカバー部材と前記第２のカバー部材が互いに着脱可能に結合され、
前記保持部材は着脱可能に配置された
請求項２に記載の保持具。
【請求項４】
前記保持部材が破損して露出した前記揮発性材料に接触できる位置に配置されると共に、前記保持部材と前記押圧片との間に配置され、さらに前記揮発性材料から放出された揮発性物質を含有可能な素材で構成されたシート体を備える
請求項２または請求項３に記載の保持具。
【請求項５】
前記保持部材と前記押圧片との間の空間において、前記シート体が存在する領域と前記シート体が存在しない領域とがある
請求項４に記載の保持具。
【請求項６】
前記揮発性材料は、揮発性物質が浸透した多孔質体である
請求項１〜５のいずれか１つに記載の保持具。
【請求項７】
前記揮発性材料は、ゲルである
請求項１〜５のいずれか１つに記載の保持具。
【請求項８】
前記揮発性物質は香りを放つ物質である
請求項１〜７のいずれか１つに記載の保持具。
【請求項９】
前記揮発性物質は香水である
請求項１〜８のいずれか１つに記載の保持具。
【発明の詳細な説明】
【技術分野】
【０００１】
本発明は保持具に関する。詳しくは、例えば香水を含んだスポンジを保持するカード形状の保持具に係るものである。
【背景技術】
【０００２】
揮発性物質例えば香水は、本来、宗教的な用途や薬用として使用されていたが、その後、楽しみや嗜みとして使用されるようになった。
そして、香水は通常、ボトルなどに入れられている。
【０００３】
例えば、特許文献１には、図５に示すような香水ボトルが記載されている。即ち、図５の右側に示されている香水ボトル１０１は、図５の中央に分割してさらに示されているケーシング１０２と、図５の左側に完全状態で示されている放出口１０４を有する透明な内側容器１０３とを備える。また、香水が充填された内側容器１０３の放出口１０４は、基礎体１０５を貫通して挿入されている吸水管１０６の形式で形成されている。また、吸水管１０６の外側末端にはスプレーヘッド１０７が取付けられており、これが、内側容器１０３内に充填された香水を放出するための作動装置として機能する。
また、内側容器１０３内に充填された香水を使用し終わった後、ネジ１１７を外した後で、内側容器１０３をケーシング１０２から取外し、同様な構造の内側容器１０３あるいは別の構造の内側容器１０３に交換できる。
【先行技術文献】
【特許文献】
【０００４】
【特許文献１】特表２０１１−５０６００１号公報
【発明の概要】
【発明が解決しようとする課題】
【０００５】
ところで、香水は、肌に直接つけたり、衣服に直接つけたりして楽しまれているが、肌や衣服に香水を直接つけ続けていると、シミが発生してしまっていた。特に、香水を使い続けていると、嗅覚が香水の香りに順応するので、香水をつけ過ぎてしまっていた。
【０００６】
そこで、肌や衣服に香水を直接つける代わりに、試香紙やハンカチなどに香水をしみ込ませて香りを楽しむことも考えられるが、従来の香水ボトルは、所定の大きさを有しているので、持ち運ぶ場合でも服のポケットには入れ難かった。
また、仮に香水を持ち運ぶとしても、ミニボトルやアトマイザーに移し替える必要があり、移し替える作業が煩わしかった。
【０００７】
本発明は、以上の点に鑑みて創案されたものであり、人や物に揮発性物質を直接接触させなくても揮発性物質の効能を使用者に与えることができる保持具を提供することを目的とする。
【課題を解決するための手段】
【０００８】
上記の目的を達成するために、本発明の保持具は、揮発性物質を含有すると共に、固体状をなす揮発性材料と、該揮発性材料を内包すると共に、所定の力以上で破損する保持部材とを備える。
【０００９】
ここで、揮発性材料を内包すると共に、所定の力以上で破損する保持部材によって、例えば使用者は、指で保持部材を挟んでやや強く押すだけで、保持部材を破損させて揮発性材料を露出させることができる。
なお、ここで言う「所定の力」とは、保持部材を指で挟んで持つ時の挟む力より大きい力を意味する。
【００１０】
また、揮発性材料が固体状をなすので、液体を保持部材に内包させる場合よりも簡単に内包させることができる。
【００１１】
また、本発明の保持具は、所定の間隔で複数の壁部材が設けられると共に、壁部材の間に保持部材が配置された第１のカバー部材と、保持部材に対応する位置に保持部材に向けて屈曲可能に設けられた押圧片を有する第２のカバー部材とを備えるものとすることができる。
【００１２】
この場合、壁部材によって、保持部材が壁部材と壁部材の間に配置されているので、保持部材に所定の力以上の力を加えて潰す際に、保持部材が壁部材に阻まれて逃げにくい。
また、壁部材を設けることによって、保持部材を配置しやすくなる。
また、壁部材によって、保持部材から飛び出した揮発性材料が、壁部材に阻まれて壁部材の外へ出にくくなる。
【００１３】
また、本発明の保持具において、第１のカバー部材と第２のカバー部材が互いに着脱可能に結合され、保持部材は着脱可能に配置された場合、保持部材を、第１のカバー部材と第２のカバー部材で挟んで、第１のカバー部材と第２のカバー部材を嵌合させるだけで本発明の保持具を製造できるので、量産が容易である。
【００１４】
また、この場合、揮発材材料の揮発性物質が完全に揮発し切っても、第１のカバー部材と第２のカバー部材を分離して、中身の保持部材を、新しい保持部材に取替え、再び第１のカバー部材と第２のカバー部材を嵌合させるだけで、再び保持具として使用できるので、資源の節約となる。
【００１５】
また、本発明の保持具は、保持部材が破損して露出した揮発性材料に接触できる位置に配置されると共に、保持部材と押圧片との間に配置され、さらに揮発性材料から放出された揮発性物質を含有可能な素材で構成されたシート体を備えるものとすることができる。
【００１６】
この場合、仮に意図せずに保持部材が破損して揮発性材料が露出し、揮発性材料から揮発性物質例えば香水がしみ出たとしても、シート体が香水を含有（吸収）するので、保持具以外の物に香水が及ぶことはない。
【００１７】
また、本発明の保持具において、保持部材と押圧片との間の空間において、シート体が存在する領域とシート体が存在しない領域とがある場合、シート体がクッション性を有するものであっても、シート体が存在しない領域において押圧片が直接、保持部材に力を加えることができる。
【００１８】
また、本発明の保持具において、揮発性材料は、揮発性物質が浸透した多孔質体であるものとすることができる。
また、本発明の保持具において、揮発性材料は、ゲルであるものとすることができる。
【００１９】
また、本発明の保持具において、揮発性物質は香りを放つ物質であるものとすることができる。
また、本発明の保持具において、揮発性物質は香水であるものとすることができる。
【発明の効果】
【００２０】
本発明に係る保持具は、人や物に揮発性物質を直接接触させなくても揮発性物質の効能を使用者に与えることができる。
【図面の簡単な説明】
【００２１】
【図１】本発明の保持具の第１の実施態様を示す概略分解図である。
【図２】図１の保持具の概略断面図である。
【図３】本発明の保持具の第２の実施態様を示す概略分解図である。
【図４】図３の保持具の概略断面図である。
【図５】従来の香水ボトルを示す概略図である。
【発明を実施するための形態】
【００２２】
以下、本発明の実施の形態について図面を参照しながら説明し、本発明の理解に供する。
図１は、本発明の保持具の第１の実施態様を示す概略分解図である。また、図２は、図１の保持具の概略断面図である。
【００２３】
図１及び図２に示す第１の実施態様において、本発明の保持具１は、香水（揮発性物質である揮発性液体の一例である。）を含有したゲル（固体状の揮発性材料の一例である。）３を備える。
【００２４】
また、本発明の保持具１は、シート部２Ａと、シート部２Ａと一体的に成形されると共にゲル３を内包する複数（８つ）の突起部２Ｂとで構成されたビニール製の保持シート（保持部材の一例である。）２を備える。
また、内包されたゲル３は互いに同じものであり、同じ香水を含有したものである。
【００２５】
ここで、保持シート２、特に突起部２Ｂは、人が指で挟んで持つ力では破損しないが、この力より大きな力が加えられると破損するよう構成されている。
【００２６】
また、本発明の保持具１は、所定の間隔で複数の壁部材６が設けられると共に、壁部材６と壁部材６の間に保持シート２の突起部２Ｂが配置された、平板状の第１のカバー部材５を備える。
【００２７】
また、本発明の保持具１は、保持シート２の各突起部２Ｂに対応する位置に保持シート２（突起部２Ｂ）に向けて屈曲可能に設けられた複数の押圧片８を有する、平板状の第２のカバー部材７を備える。
【００２８】
ここで、押圧片８は、第２のカバー部材７の表面に一部を残して略円弧状のスリットを設けることで形成されており、スリットが設けられていない部分を軸にして屈曲できるようになっている。
【００２９】
また、第１のカバー部材５の四隅には、結合棒９が取付けられている。また、第２のカバー部材７の四隅には、図示していないが結合棒９が挿入される穴が設けられており、第１のカバー部材５と第２のカバー部材７は互いに着脱可能に結合される。
【００３０】
また、保持シート２は、第１のカバー部材５と第２のカバー部材７に挟まれて配置されるので、着脱可能に配置されることになる。
【００３１】
本発明の保持具１の使用者は、保持シート２の突起部２Ｂに内包されたゲル３に含まれる香水の香りを楽しむために、図２に示すように指で押圧片８を押す。
【００３２】
押された押圧片８は、保持シート２に向けて屈曲し、保持シート２の突起部２Ｂに当たって所定の力以上の力を保持シート２の突起部２Ｂに加える。このとき、押圧片８には、保持シート２に向けて針部１０が取付けられているので、針部１０が直接、保持シート２の突起部２Ｂの位置に突き刺さり、保持シート２の突起部２Ｂが破損して、香水を含有したゲル３が露出する。
【００３３】
そして、香水の香りは、押圧片８を形成するために設けられたスリットも含めた、押圧片８が屈曲して生じた孔を通って外気へ拡散する。
【００３４】
図３は、本発明の保持具の第２の実施態様を示す概略分解図である。また、図４は、図３の保持具の概略断面図である。
【００３５】
図３及び図４に示す第２の実施態様において、本発明の保持具１は、香水が浸透したスポンジ（固体状の揮発性材料である多孔質体の一例である。）１１を備える。
【００３６】
また、本発明の保持具１は、シート部２Ａと、シート部２Ａと一体的に成形されると共にスポンジ１１を内包する複数（８つ）の突起部２Ｂとで構成されたビニール製の保持シート２を備える。
また、内包されたスポンジ１１は互いに同じものであり、同じ香水が浸透したものである。
【００３７】
ここで、保持シート２、特に突起部２Ｂは、人が指で挟んで持つ力では破損しないが、この力より大きな力が加えられると破損するよう構成されている。
【００３８】
また、本発明の保持具１は、保持シート２の突起部２Ｂが破損して露出したスポンジ１１に接触できる位置即ち保持シート２の各突起部２Ｂに対応する位置に配置されると共に、保持シート２と押圧片８との間に配置され、さらにスポンジ１１から放出された香水を含有（浸透）可能な素材で構成された複数の試香紙（シート体の一例である。）４を備える。
【００３９】
また、本発明の保持具１は、所定の間隔で複数の壁部材６が設けられると共に、壁部材６と壁部材６の間に保持シート２の突起部２Ｂが配置された、平板状の第１のカバー部材５を備える。
【００４０】
また、本発明の保持具１は、保持シート２の各突起部２Ｂに対応する位置に保持シート２（突起部２Ｂ）に向けて屈曲可能に設けられた複数の押圧片８を有する、平板状の第２のカバー部材７を備える。
【００４１】
ここで、押圧片８は、第２のカバー部材７の表面に一部を残して略円弧状のスリットを設けることで形成されており、スリットが設けられていない部分を軸にして屈曲できるようになっている。
【００４２】
また、第１のカバー部材５の四隅には、結合棒９が取付けられている。また、第２のカバー部材７の四隅には、図示していないが結合棒９が挿入される穴が設けられており、第１のカバー部材５と第２のカバー部材７は互いに着脱可能に結合される。
【００４３】
また、保持シート２は、第１のカバー部材５と第２のカバー部材７に挟まれて配置されるので、着脱可能に配置されることになる。
【００４４】
また、図４に示すように、保持シート２と押圧片８との間の空間において、試香紙４が存在する領域と試香紙４が存在しない領域とがあり、試香紙４が存在しない領域に向けて、押圧片８には針部１０が取付けられている。
【００４５】
本発明の保持具１の使用者は、保持シート２の突起部２Ｂに内包されたスポンジ１１に浸透した香水の香りを楽しむために、図４に示すように指で押圧片８を押す。
【００４６】
押された押圧片８は、保持シート２に向けて屈曲し、保持シート２の突起部２Ｂに当たって所定の力以上の力を保持シート２の突起部２Ｂに加える。このとき、保持シート２と押圧片８との間の空間において、試香紙４が存在しない領域に向けて押圧片８には針部１０が取付けられているので、針部１０が、保持シート２の突起部２Ｂの位置に突き刺さり、保持シート２の突起部２Ｂが破損して、香水が浸透したスポンジ１１が露出する。
【００４７】
また、試香紙４が、突起部２Ｂに対応する位置に配置されているので、試香紙４が押圧片８によって、露出したスポンジ１１に押し付けられ、スポンジ１１に浸透した香水がしみ出し、しみ出した香水は、試香紙４に浸み込む。
【００４８】
そして、試香紙４に浸み込んだ香水の香りや、試香紙４に浸み込まずスポンジ１１内に残ったままの香水の香りは、押圧片８を形成するために設けられたスリットも含めた、押圧片８が屈曲して生じた孔を通って外気へ拡散する。
【００４９】
ここで、本発明の保持具が、揮発性物質を含有すると共に、固体状をなす揮発性材料と、揮発性材料を内包すると共に、所定の力以上で破損する保持部材とを備えるのであれば、必ずしも第１のカバー部材と第２のカバー部材を備えていなくてもよい。
【００５０】
しかし、本発明の保持具が、第１のカバー部材と第２のカバー部材を備えていれば、保持部材を、第１のカバー部材と第２のカバー部材で挟んで、第１のカバー部材と第２のカバー部材を嵌合させるだけで、本発明の保持具を製造できるので、量産が容易であり、好ましい。
【００５１】
また、本発明の保持具が、第１のカバー部材と第２のカバー部材を備えていれば、本発明の保持具を持ち運んでいる時でも、保持部材が他の物に直接当たって破損することを防止できるので好ましい。
【００５２】
また、本発明の保持具が、揮発性物質を含有すると共に、固体状をなす揮発性材料と、揮発性材料を内包すると共に、所定の力以上で破損する保持部材とを備えるのであれば、必ずしも保持部材として、シート部と複数の突起部を有する保持シートを用いなくてもよい。
【００５３】
例えば、壁部材６の間に、香水を含有したゲルを内包した球状の保持部材（例えばマイクロカプセル）、若しくは、香水を含有したスポンジを内包した球状の保持部材（例えばマイクロカプセル）を個別に配置することもできる。
【００５４】
しかし、シート部と複数の突起部を有する保持シートを用いていれば、揮発性材料（ゲル、スポンジなど）に含有された揮発性物質（香水）を使い切っても、第１のカバー部材と第２のカバー部材を分離して、中身の保持シートを、新しい保持シートに取替えるだけでよいので、複数の揮発性材料の一括交換が容易であり、また、再び第１のカバー部材と第２のカバー部材を嵌合させるだけで、再び保持具として使用できるので、資源の節約となり好ましい。
【００５５】
また、揮発性物質を含有すると共に、固体状をなすのであれば、必ずしもゲルや、スポンジでなくてもよいことは勿論である。
【００５６】
また、必ずしも保持シートのシート部と突起部が同一の素材で構成されていなくてもよく、互いに異なる素材で構成されていてもよい。また、必ずしも複数の突起部を設けなくてもよく、突起部は１つでもよい。
【００５７】
また、シート体を用いる場合、必ずしも試香紙を用いなくてもよく、例えば綿を用いることもできる。
【００５８】
また、必ずしも押圧片に、保持シートに向けて針部を取付けなくてもよいが、針部を取付けた場合、保持シートを破損させやすくなるので好ましい。
【００５９】
また、本発明の保持具が、揮発性物質を含有すると共に、固体状をなす揮発性材料と、揮発性材料を内包すると共に、所定の力以上で破損する保持部材とを備えるのであれば、必ずしも第１のカバー部材に所定の間隔で複数の壁部材を設けなくてもよい。
【００６０】
しかし、所定の間隔で複数の壁部材を設けていれば、保持部材が壁部材と壁部材の間に配置されているので、保持部材に所定の力以上の力を加えて潰す際に、保持部材が壁部材に阻まれて逃げにくいうえに、保持部材を配置しやすくなり、さらに、保持部材から飛び出した揮発性材料が、壁部材に阻まれて壁部材の外へ出にくくなり、好ましい。
【００６１】
また、本発明の保持具が、揮発性物質を含有すると共に、固体状をなす揮発性材料と、揮発性材料を内包すると共に、所定の力以上で破損する保持部材とを備えるのであれば、必ずしも保持部材に内包された揮発性材料（ゲル、スポンジなど）が含有する揮発性物質（香水）は、互いに同じでなくてもよい。
【００６２】
しかし、保持部材に内包された揮発性材料が含有する揮発性物質が互いに同じであれば、保持部材を破損させた数で、揮発性物質の揮発量を把握することができるので好ましい。特に、揮発性物質が香水であれば、香水の継続使用により嗅覚が香水に順応してしまい、香水の適量が判らなくなっても、客観的に使用者にとっての適量を把握できて好ましい。
【００６３】
また、第１の実施態様及び第２の実施態様において、揮発性物質の例として香水を挙げて説明したが、必ずしも香水でなくてもよく、例えば揮発性の薬剤であってもよい。
【００６４】
以上のように、本発明の保持具は、揮発性材料を内包すると共に、所定の力以上で破損する保持部材を備えるので、例えば使用者は、指で保持部材を挟んでやや強く押すだけで、保持部材を破損させて揮発性材料を露出させることができる。
【００６５】
従って、本発明の保持具は、使用者が指で保持部材を挟んでやや強く押すだけで、人や物に揮発性物質を直接接触させなくても揮発性物質の効能を使用者に与えることができる。
【００６６】
また、香水入りのミニボトルをポケットやカバンに入れていると、ミニボトルが破損したときにポケットやカバンに香水がかかってしまうが、本発明の保持具であれば、保持部材が破損しても、香水を含有した、スポンジやゲルが露出するだけであり、ポケットやカバンなどに本発明の保持具を入れておいても、ポケットやカバンなどに香水がかかることはない。
【００６７】
従って、本発明の保持具は、肌や衣服にシミをつける心配がなく、携帯性も良い。
また、携帯性が良いので、携帯するために香水をアトマイザーなどに移し替える必要もない。
【００６８】
また、香水など揮発性物質を、ゲルやスポンジなど固体状の揮発性材料に含有させて、この揮発性材料を保持部材に内包させるので、液体を保持部材に内包させる場合よりも簡単に内包させることができる。よって、保持具の製造も、液体を使用する場合より簡単である。
【符号の説明】
【００６９】
１    保持具
２    保持シート
２Ａ  シート部
２Ｂ  突起部
３    ゲル
４    試香紙
５    第１のカバー部材
６    壁部材
７    第２のカバー部材
８    押圧片
９    結合棒
１０    針部
１１    スポンジ
【図１】
2013215341.tif 000003
【図２】
2013215341.tif 000004
【図３】
2013215341.tif 000005
【図４】
2013215341.tif 000006
【図５】
2013215341.tif 000007